【事件の表示】
　特願２０００−２１９０６８「出会い支援装置」拒絶査定不服審判事件〔平成１４年　１月３１日出願公開，特開２００２−　３２５１０〕について，次のとおり審決する。
【結　論】
　本件審判の請求は，成り立たない。
【理　由】
１．手続の経緯
　本願は，平成１２年７月１９日に出願であって，平成１６年３月１５日付けで拒絶査定がされ，これに対して，同年５月６日に拒絶査定不服審判の請求がなされるとともに，同日付で手続補正がなされたものである。
　
２．本願発明
　本願発明は，平成１６年５月６日付で補正された請求項１及び２に記載されたとおりのものであるところ，その請求項１に係る発明は次のとおりである。
「【請求項１】　電子メール送受信機能および位置特定情報発信機能を有する移動メール端末をそれぞれ携帯する使用者間の出会いを支援するための出会い支援サービスを提供する出会い支援装置であって，
　この出会い支援サービスを利用しようとする使用者の個人情報と，この使用者が出会いの機会を求める他の使用者の個人情報とを登録するための個人データベース手段と，
　この個人データベース手段に登録された個人情報に従って，使用者の移動メール端末から位置特定情報を受信することにより，一対の使用者の移動メール端末が接近条件を満たすかどうかを検出する距離検出処理手段と，
　この距離検出処理手段が上記接近条件の満足を検出したことに応答して，当該接近条件を満足した一対の移動メール端末に対して，出会いの機会の到来を通知するための電子メールを自動作成して送信する自動メール作成配信手段と，
　上記他の使用者による登録承認手続を受け付け，この登録承認手続が受け付けられたことを条件に，当該他の使用者と，この他の使用者との出会いの機会を求めた使用者とを，出会いの機会到来を通知すべき一対の使用者として上記個人データベース手段に登録する登録承認受付手段と，
　使用者の顔画像データの特徴を判別して顔属性データを作成する顔属性データ作成手段と，
　この顔属性データ作成手段によって顔属性データが作成された使用者の顔画像データを保存するための顔画像保存データベースと，
　上記顔属性データ作成手段によって作成された顔属性データに基づき，使用者の顔画像に対応したキャラクタ画像データを生成するキャラクタ画像生成手段とを含み，
　上記自動メール作成配信手段は，出会いの機会が到来した相手のキャラクタ画像データまたは当該キャラクタ画像データへのアクセス手法データを，上記電子メールとともに上記接近条件を満足した移動メール端末に送信するものであることを特徴とする出会い支援装置。」　
　
３．引用例
（１）原査定の拒絶の理由に引用された特開２０００−１６７２３２号公報（平成１２年６月２０日公開，以下「引用例」という。）には，次の各事項が記載されている。
　
（ア）「【発明の属する技術分野】本発明は，戸外や大規模施設内などでの出会いたい人との偶然の出会いを支援するためのシステムに関する。」
　
（イ）「本発明はこのような従来技術の課題に着目してなされたものであって，互いに関連又は縁を持つ人たちが，「たまたま偶然に」近傍に位置することになった機会を逃すこと無く，「フェイス・ツー・フェイス」の出会いを確実に実現できるようにすることができる，出会い支援システムを提供することを目的とする。」（【０００６】４頁右欄４８行〜５頁左欄３行）
　
（ウ）「また，本発明において，「ユーザーに関するキー・データ」とは，ユーザー自身のキー・データ，又は，ユーザーが出会いたいと思っている人のキー・データ，である。また，この「キー・データ」には，例えば，ユーザーの個人ＩＤ，ユーザーがたまたま近傍に居合わせたときは合いたい人の個人ＩＤ（ユーザーＩＤ，ＩＤコード，識別子），ユーザーの電話番号や電子メールアドレス（この電話番号や電子メールアドレスが前記ユーザーＩＤを兼ねるようにしてもよい），自己の氏名，自己のハンドルネーム（通信の世界での仮想の名前），携帯型通信端末の中で育成している電子ペットなどの電子生物に関するデータ，趣味，所属しているクラブやサークルや学会の名前，出身地，出身小学校の名前と卒業年次，出身の大学ゼミの名前と卒業年次，自己の居住している地名，などの様々なデータが含まれる。また，この「キー・データ」は，文字，音声，画像などの様々なデータ形態が可能である。また，本発明において，携帯型通信端末間の通信を仲介するための「基地局（無線局）内のセンター（「サーバー」コンピュータや「ホスト」コンピュータなど），又は基地局（無線局）に接続されたセンター（「サーバー」コンピュータや「ホスト」コンピュータなど）」は，従来の地上の基地局（無線局）内に設置された又はそれに接続されたコンピュータだけでなく，飛行船，静止軌道上の人工衛星，低軌道周回衛星（世界的な携帯電話システムの「イリジウム」などで計画されている），成層圏内などに浮かべた飛行船などに備えられた基地局（無線局）内に設置された又はそれに接続されたコンピュータ，でもよい。」（【０００７】５頁左欄２１〜４８行）
　
（エ）「上記出会い支援システムにおいて，さらに，ユーザーが携帯する携帯型通信端末に備えられ，そのユーザーの現在位置を特定するための現在位置特定手段を備え，前記送信手段は，前記「少なくともそのユーザーを識別するための識別データ」と「そのユーザーの現在位置データ」とを無線で送信するものである，ことを特徴とする出会い支援システム。上記出会い支援システムにおいて，さらに，前記のユーザーの通信端末と前記の「他のユーザー」の通信端末との間を自動的に通信可能状態（電話・チャット・電子メール交換などが可能な状態）とする自動通信モード設定手段（つまり，ユーザーの特別な操作を必要とすること無く自動的に，音声会話モード，チャット（文字会話）モード，電子メール送信モードになる機能を実現するための手段）を備えたことを特徴とする出会い支援システム。」（【０００８】５頁右欄３０〜４５行）
　
（オ）「前記各ユーザーのキー・データ（自己に関する属性データや，自己がもし近傍の地に居れば実際に会いたい人に関する氏名や属性データ）は，前記各携帯型通信端末から，前記現在位置特定用データなどと一緒にセンター側に送信するようにしてもよいし，一緒に送信しないで，予め，年に一回，月に一回，又は周に一回のペースで，センター側に送信しておき，センター側で予めデータベース化しておくようにしてもよい。」（【０００８】７頁左欄３４行〜４２行）
　
（カ）「【０００９】
【発明の実施の形態】実施形態１．図１は本発明の実施形態１を示すブロック図である。図１において，１は第１のユーザーＡが携帯する携帯型通信端末（例えば，携帯電話機），２はユーザーＡに関するキー・データ（ユーザーＡ自身のＩＤ，氏名，所属する趣味の会名や学会名などのキー・データ，及び，ユーザーＡがもしたまたま偶然に近傍に居合わせたときは合って話をしたいと思う人のＩＤ，氏名，所属する趣味の会名や学会名などのキー・データ）を予め記録しておくキー・データ記録部である。このキー・データ記録部２には，例えば，ユーザーの携帯電話番号（この電話番号がユーザーＩＤを兼ねるようにしてもよい），ユーザーの氏名，ユーザーが所属している趣味のサークル名，ユーザーが前記通信端末１の中で仮想的に飼育している電子ペット（電子生物）の種類（例えば「たまごっち」など）や同電子ペットの好物や好きな遊びなどがキー・データとして記録されている。」（【０００９】７頁左欄４３行〜右欄１０行）
　
（キ）「【０００１０】また図１において，２ａはユーザーＡの現在位置座標を特定するための現在位置特定部（ＧＰＳ＝グローバルポジショニングシステム）などで構成される。」（７頁右欄２１〜２４行）
　
（ク）「この送受信部３によるキー・データ等の無線送信は，ユーザーの近傍のエリア，すなわちユーザーが希望する距離の範囲内だけ電波が届くように，行われる。」（【００１１】７頁４２〜４５行）
　
（ケ）「前記送受信部６は，前記他のユーザーＢが希望するときは，その操作により，いつでも，前記キー・データ等を無線送信する。また，図１において，電子ペット育成部５ｃからも，その電子ペットの固有の信号が出力され，その信号は前記キー・データ等送受信部６から外部へ無線出力されるようになっている。
【００１４】また，図１において，７は前記送受信部６で受信した他のユーザー（例えばユーザーＡ）から送信されたキー・データ（場合により現在位置データも）が，前記記録部５に記録された自己（ユーザーＢ）に関するキー・データ（場合により現在位置データも）と一致又は関連するかどうかを比較・照合するためのマッチング部，８はこのマッチングの結果，自己に関するキー・データと一致又は関連するキー・データが無線送信されて来たとき，そのことをユーザーＢに告知するための告知部である。この告知部８は，音響，音声，光，又は振動などにより，ユーザーＢに「自己のキー・データと一致又は関連するキー・データを有する人（ユーザーＡのこと）が自己の近傍に居ること」を知らせる（音響，音声，光又は振動などにより，ユーザーＢに注意を喚起する）。なお，前記マッチング部７は，前記キー・データと現在位置データとを併せて照合し，キー・データの関連が比較的薄い場合でも，現在位置データが極めて近い場合は，ユーザーＢにそのことを告知するようにしてもよい。」（【００１３】〜【００１４】８頁左欄３３行〜右欄７行）
　
（コ）「今の例では，前記各ユーザーＡ，Ｂ，Ｃ，Ｄの中でＡ，Ｂ，Ｃは互いに近傍の地に居るが，Ｄだけは離れた地に居るとする。すると，前記の組み合わせの抽出処理により，互いに近傍の地に居るＡ，Ｂ，Ｃの３人の組み合わせ（「ＡとＢ」，「ＡとＣ」，「ＢとＣ」の計３つの組み合わせ）が得られる。次に，この得られた「ＡとＢ，ＡとＣ，ＢとＣの３つの組み合わせ」について，それぞれ，「双方のユーザーががもし近傍の地に居れば実際に会いたいと希望する関係にあるかどうか」を，データベース記録部７３からのデータに基づいて，判定する（ステップＳ３）。」（【００４１】１３頁２７〜３７行）
　
（２）上記引用例に記載された発明（以下「引用発明」という。）から次のことがいえる。
　ア　引用発明は出会いを支援するシステムに関するものである。（前掲（ア），（イ））
　イ　引用例には，「ユーザのキーデータは，各携帯型通信端末から，前記現在位置特定用データなどと一緒にセンター側に送信するようにしてもよい」（前掲(オ)）と記載され，この携帯型通信端末が電子メール送受信機能を備えることは，前掲(エ)にも「ユーザーの通信端末と前記の「他のユーザー」の通信端末との間を自動的に通信可能状態（電話・チャット・電子メール交換などが可能な状態）とする自動通信モード設定手段（つまり，ユーザーの特別な操作を必要とすること無く自動的に，音声会話モード，チャット（文字会話）モード，電子メール送信モードになる機能を実現するための手段）を備えた」と記載されていることから明らかである。
　ウ　引用発明では，キー・データを予め記録しておくキー・データ記録部を備えており，このキー・データが「ユーザーＡ自身のＩＤ，氏名，所属する趣味の会名や学会名などのキー・データ，及び，ユーザーＡがもしたまたま偶然に近傍に居合わせたときは合って話をしたいと思う人のＩＤ，氏名，所属する趣味の会名や学会名などのキー・データ」であることは，前掲(カ)に記載されており，このキー・データ記憶部に対応するデータベース記録部が，別の実施形態５として図５に示され，このデータベース記憶部は，同図中に「ユーザーＩＤごとの，出会い希望対象者，又は，出会い希望属性のデータベース記録部」との説明がある。そしてこのデータベース記録部を用いて，「それぞれ，「双方のユーザーががもし近傍の地に居れば実際に会いたいと希望する関係にあるかどうか」を，データベース記録部７３からのデータに基づいて，判定する（ステップＳ３）。」ことが示されている。
　エ　引用発明は，ユーザーの通信端末と「他のユーザー」の通信端末との間を自動的に通信可能状態（電子メール交換などが可能な状態）とする自動通信モード設定手段を備えている（前掲(エ)）。そして，前掲(ケ)には，「７は前記送受信部６で受信した他のユーザーから送信されたキー・データが，前記記録部５に記録された自己に関するキー・データと一致又は関連するかどうかを比較・照合するためのマッチング部，８はこのマッチングの結果，自己に関するキー・データと一致又は関連するキー・データが無線送信されて来たとき，そのことをユーザーＢに告知するための告知部である。」との記載もある。
　
４．対比
　以上を踏まえると，本願発明と引用発明とは，次の一致点及び相違点を有する。
（１）一致点　
　　電子メール送受信機能および位置特定情報発信機能を有する移動メール端末をそれぞれ携帯する使用者間の出会いを支援するための出会い支援サービスを提供する出会い支援装置であって，この出会い支援サービスを利用しようとする使用者の個人情報と，この使用者が出会いの機会を求める他の使用者の個人情報とを登録するための個人データベース手段と，この個人データベース手段に登録された個人情報に従って，使用者の移動メール端末から位置特定情報を受信することにより，一対の使用者の移動メール端末が接近条件を満たすかどうかを検出する距離検出処理手段と，この距離検出処理手段が上記接近条件の満足を検出したことに応答して，当該接近条件を満足した一対の移動メール端末に対して，出会いの機会の到来を通知するための電子メールを自動作成して送信する自動メール作成配信手段と，上記他の使用者による登録承認手続を受け付け，この登録承認手続が受け付けられたことを条件に，当該他の使用者と，この他の使用者との出会いの機会を求めた使用者とを，出会いの機会到来を通知すべき一対の使用者として上記個人データベース手段に登録する登録承認受付手段と，を備えた，出会い支援装置
　
（２）相違点
　　本願発明が電子メールとともに顔画像に関するデータを送信するのに対し，引用発明は係る点を備えていない点。
　すなわち，本願発明が「使用者の顔画像データの特徴を判別して顔属性データを作成する顔属性データ作成手段と，この顔属性データ作成手段によって顔属性データが作成された使用者の顔画像データを保存するための顔画像保存データベースと，上記顔属性データ作成手段によって作成された顔属性データに基づき，使用者の顔画像に対応したキャラクタ画像データを生成するキャラクタ画像生成手段とを含み，上記自動メール作成配信手段は，出会いの機会が到来した相手のキャラクタ画像データまたは当該キャラクタ画像データへのアクセス手法データ」を送信することを特徴とする点。
　
５．相違点についての当審の判断
　原査定の拒絶の理由で，電子メールに送信者の顔画像やキャラクタ画像を添付して通信を行うことが周知技術であるとして引用された，特開平１１−３４６２６７号公報の段落【０００７】には，「【課題を解決するための手段】１．遠隔の地に居る実在の人又はコンピュータ上の仮想の人（仮想のキャラクタ）との間で，リアルタイムに又は時間差を介して，文字，データ（図形，グラフ，表などのデータ）又は音声により，メール，メッセージ，又は発言などの「会話」をやり取りするための会話システムにおいて，文字，データ又は音声により構成される会話に関連付けられて表示される話者を示す画像を生成するための話者画像生成手段と，この画像生成手段に対して，画像生成のために有益な服装又は姿態データを提供する服装・姿態データ提供手段と，を含むことを特徴とする会話システム。」の記載がある。
　同じく，ユーザの顔画像データの特徴を判別して顔属性データを作成し，該作成された顔属性データに基づき，ユーザの顔画像に対応したキャラクタ画像を生成する技術，登録されたユーザの精神的特徴を表す属性データを作成し，該作成された属性データに基づき，ユーザを表すキャラクタ画像データを生成する技術として，引用された特開平１１−１９７３５２号公報には，その段落【００２１】に「人物画像出力装置２１において，顔画像特徴認識モジュール３１は，カメラ２が撮像した遊戯者の顔画像データから目，鼻，口，眉，髪及び輪郭等の顔部品の特徴データを抽出する。似顔絵部品データベース３３は，各顔部品のそれぞれについての特徴の異なる複数の似顔絵部品の画像データ，並びに，複数の心理状態や性格等のそれぞれを表現する性格表現部品の画像データ及び配置位置データを図３に示すように記憶している。似顔絵描画モジュール３２は，顔画像特徴認識モジュール３１が抽出した各顔部品の特徴データに基づいて各顔部品に対応する似顔絵部品を似顔絵部品データベース３３から選択し，遊戯者の顔画像に対応する似顔絵画像を作成する。」との記載がある。
　そうすると，上記相違点は，当該周知な技術事項を，引用例記載の発明に単に適用したものであり，適用に際し格別阻害要因となるものはなく，当業者であれば容易に想到できたものといわざるを得ない。
　なお，審判請求人が主張する悪意の利用者か善意の利用者かの識別が行われることについては，その詳細は人間が判断するものであり，この一事をもって，本願発明に進歩性は認められない。また，本願発明の奏する効果も当業者が予測し得ない格別顕著なものは認められない。
　
６．むすび
　以上のとおり，本願発明は，引用例に記載された発明に基づいて当業者が容易に発明をすることができたものであり，特許法２９条２項の規定により特許を受けることができないから，他の請求項記載の発明について論ずるまでもなく本願は拒絶すべきものである。
　よって，結論のとおり審決する。